(57)【要約】【課題】簡易に滑り板の滑り面を保護する滑り支承を提供する。【解決手段】基礎部又は構造体の何れか一方に固定される支承部と、基礎部又は構造体の他方に固定され、滑り面が前記支承部に当接して前記支承部と相対的に滑り可能となる滑り板と、前記滑り面を被覆するワックスと、を有する滑り支承。【選択図】図１
2016121747.tif 000002
【特許請求の範囲】
【請求項１】
基礎部又は構造体の何れか一方に固定される支承部と、
基礎部又は構造体の他方に固定され、滑り面が前記支承部に当接して前記支承部と相対的に滑り可能となる滑り板と、
前記滑り面を被覆するワックスと、
を有する滑り支承。
【請求項２】
前記ワックスは、前記滑り面と前記支承部との当接面を除いて、前記滑り面を被覆している、請求項１に記載の滑り支承。
【請求項３】
前記ワックスは、前記支承部の外周部から、前記支承部と前記滑り板との境界部を被覆している、請求項１または請求項２に記載の滑り支承。
【発明の詳細な説明】
【技術分野】
【０００１】
本発明は、滑り支承に関する。
【背景技術】
【０００２】
建物の免震装置として利用される滑り支承は、滑り板の表面を支承部が滑る機構を備えており、例えば、建物の構造体と基礎部との間に設置されている。滑り板の滑りの表面は平滑に仕上げた構造となっており、支承部の摺動に影響を与えないように表面への傷つきを回避する必要がある。従来、露出した滑り板全体を防塵カバーで覆い、埃や水の侵入を防いでいる。（例えば、特許文献１参照）。
【先行技術文献】
【特許文献】
【０００３】
【特許文献１】特開２００３−４９８９８
【発明の概要】
【発明が解決しようとする課題】
【０００４】
しかし、防塵カバーの取付には手間がかかる。また、養生材の撤去・廃棄、防塵カバー設置の工数を削減するために、工事期間中も竣工後も継続して簡易に滑り板の滑り面を保護できる手段の開発が求められている。
【０００５】
本発明は、上記事実を考慮して、簡易に滑り板の滑り面を保護することを目的とする。
【課題を解決するための手段】
【０００６】
請求項１の滑り支承は、基礎部又は構造体の何れか一方に固定される支承部と、基礎部又は構造体の他方に固定され、滑り面が前記支承部に当接して前記支承部と相対的に滑り可能となる滑り板と、前記滑り面を被覆するワックスと、を有している。
【０００７】
請求項１に記載の滑り支承では、滑り面をワックスが被覆している。このため、例えば、防塵カバーを用いなくても、簡易に滑り板の滑り面を保護することができる。
【０００８】
また、前記ワックスによる被膜は、地震時に前記支承部が摺動する際に容易に破断する。更に、すべり板部と支承部の間に前記ワックスが入り込んだとしても、摩擦係数が著しく変化することはないので、支承部の摺動の妨げにはならない。このように、滑り面の保護材として機能するワックスが地震時における滑り支承の動作を妨げないことから、建物の竣工後にワックスを取り除く必要はなく、工事期間中も竣工後も継続して滑り板の表面を保護することができる。
【０００９】
請求項２の滑り支承は、請求項１に記載の滑り支承において、前記ワックスは、前記滑り面と前記支承部との当接面を除いて、前記滑り面を被覆している。
【００１０】
請求項２に記載の滑り支承では、滑り面と前記支承部との当接面はワックスで被覆されない。このため、少ない塗布範囲で滑り面を保護できる。
【００１１】
請求項３の滑り支承は、請求項１または請求項２に記載の滑り支承において、前記ワックスは、前記支承部の外周部から、前記支承部と前記滑り面との境界部を被覆している。
【００１２】
請求項３に記載の滑り支承では、支承部の外周部から支承部と滑り板との境界部が、ワックスで被覆される。支承部の外周部からワックスで被覆することで、支承部と滑り板の境界部から、支承部と滑り面の当接面への異物の侵入を確実に抑制することができるので、滑り面を保護することができる。
【発明の効果】
【００１３】
本発明に係る滑り支承によれば、簡易に滑り板の滑り面を保護することができる。
【図面の簡単な説明】
【００１４】
【図１】本発明の第１実施形態に係る滑り支承を示す斜視図である。
【図２】本発明の第１実施形態に係る滑り支承の半断面図である。
【図３】本発明の第２実施形態に係る滑り支承の半断面図である。
【発明を実施するための形態】
【００１５】
［第１実施形態］
以下、図面を参照しながら、本発明の第１実施形態に係る滑り支承について説明する。
【００１６】
図１及び図２に示されるように、第１実施形態の滑り支承１０は、構造体２０に固定される支承部３０と、基礎部５０に固定され支承部３０に当接し支承部３０を支持する滑り板４０と、を備えている。また、滑り板４０の滑り面４１は、支承部３０の滑り材３３との当接面を除いて、ワックス６０で被覆されている。滑り支承１０は、建物の構造体２０と基礎部５０との間に設置される免震装置として用いることができる。滑り支承１０を備えた免震装置は、地震の際に滑り支承部３０と滑り板４０上とを相対的に滑らせることで地震による水平エネルギーを消費させ、建物等を地震の揺れから保護することができる。
【００１７】
（構造体）
構造体２０は、滑り支承１０によって免震性能を与えられる。構造体２０の支持部２１には、底面２２にボルト孔２５が形成され、支承部３０のフランジ３１がボルト接合される。
【００１８】
（支承部）
支承部３０は、構造体２０を支え続ける部材である。支承部３０は、構造体２０の荷重を基礎部２１に伝える部材であり、構造体２０の支持部２１の底面２２に取り付けられるフランジ３１と、フランジ３１の下部に形成され、地震時に振動を吸収する振動吸収体３２と、振動吸収体３２の下部に形成され、滑り板４０の滑り面４１と当接する滑り材３３とで構成されている。
【００１９】
フランジ３１にはボルト孔３５が形成され、構造体２０とボルト接合されている。フランジ３１と、振動吸収体３２及び滑り材３３とは相互に鉛直方向に接合されており、地震発生時に水平方向の力が作用しても剥離しない。振動吸収体３２は、ゴム３２ａと鋼板３２ｂとを順に積層した積層ゴムで形成されている。
【００２０】
（滑り板）
滑り板４０は、物が表面を滑る板材であり、表面には支承部３０の滑り材３３が当接する滑り面４１が形成されている。滑り面４１の表面にはＰＴＦＥ（ポリテトラフルオロエチレン）等が焼結コーティングされている。また滑り板４０は支承部３０と接合されておらず、地震発生時に水平方向の力が作用した場合、支承部３０の滑り材３３は滑り面４１を滑り可能となる。滑り板４０はベースプレート４３に固定されている。ベースプレート４３の四隅にはボルト孔４５が形成され、基礎部５０とボルトで固定されている。
【００２１】
（基礎部）
基礎部５０は、構造体２０の荷重を支えるフーチングである。基礎部５０は、図示しない杭の頭部に形成されている。
【００２２】
（ワックス）
ワックス６０は、滑り面４１を保護する保護材として機能する。図２に示されるように、ワックス６０は、滑り面４１の、支承部３０の滑り材３３が当接する面を除いた部分を、ＰＴＦＥの上から被覆している。ワックス６０は加熱すると融解し、常温で固化する融点を持つ物質（例えばパラフィン、ポリエチレン、蝋など）であり、外力により容易に変形するものである。また、本実施形態では、ワックス６０の被覆厚は１〜５ｍｍ程度とされている。
【００２３】
（製作、施工手順）
次に、第１実施例に係る滑り支承１０の製作、施工手順について説明する。
【００２４】
まず、工場で製作された支承部３０を、滑り板４０に仮組立し、滑り面４１の支承部３０の滑り材３３と当接する面を除いた部分に、加熱して溶融したワックス６０を塗布する。ワックス６０が硬化した後、運搬時に支承部３０と滑り板４０とが相対移動しないように、拘束材などで固定する。仮組立した滑り支承１０は建設現場に搬入後、滑り板４０と基礎部５０とをボルト接合し、支承部３０の上に構造体２０を構築して支承部３０と構造体２０とを固定し、滑り支承１０から拘束材が外される。
【００２５】
（作用）      
第１実施形態は、上記のように構成されており、以下その作用について説明する。
【００２６】
第１実施形態では、滑り面４１をワックス６０で被覆したので、防塵カバーを用いずに、簡易に滑り板４０の滑り面４１を保護することができる。滑り面４１がワックス６０で保護されているので、滑り面４１の表面が、工事期間中に工具を落下させることなどによる傷つきや、土足で踏込み靴底の泥などを擦り付けることによる汚れの付着、また埃の堆積などが防止される。
【００２７】
地震時に水平方向の振動が基礎部５０に入力されると、構造体２０と基礎部５０との間に水平変位が生じる。変位が小さな場合は振動吸収体３２がせん断変形することにより振動エネルギーを吸収するが、変位が大きくなると、支承部３０の滑り材３３と滑り板４０の滑り面４１との間の摩擦限界を超え、支承部３０が滑り板４０の上を滑る。
【００２８】
ここで、支承部３０の滑り材３３の滑り材３３は滑り面４１と当接しているが、当接面以外の滑り面４１はワックス６０で被覆されている。ワックス６０は外力により容易に変形するので、容易に滑り面４１から剥離し、支承部３０の滑り材３３の滑りを妨げない。
【００２９】
更に、ワックス６０の下に焼結コーティングされているＰＴＦＥは、物質が付着しにくい低粘着性を有しているので、容易に滑り面４１からワックス６０が剥離する。
【００３０】
従って、支承部３０が滑り板４０の上を滑ろうとした際に、ワックス６０は滑り材３３によって容易に掻き取られる。このことにより、滑り材３３がワックス６０の上に乗りあがらず、良好な滑り性能が保持される。
【００３１】
また、仮にワックス６０が支承部３０の滑り材３３と滑り面４１との間に入り込んだとしても、摩擦係数が著しく変化することはないので、良好な滑り性能が保持される。このため、
建物の竣工後にワックスを取り除く必要はなく、工事期間中も竣工後も継続して滑り板の表面を保護することができる。
また、支承部３０が滑り始めた時に滑り材３３と滑り面４１との間にワックスを入り込まなくさせるための堰板等を設ける必要がない。
【００３２】
さらに、支承部３０の滑り材３３によって掻き取られるワックス６０と共に、ワックス６０の上に堆積した埃や汚れも掻き取られるので、良好な滑り性能が保持される。
【００３３】
本実施形態では、ワックス６０の被覆厚を１〜５ｍｍ程度としているので、簡易に滑り面４１を保護することができる。被覆厚が１ｍｍより小さいと、工具などの落下による傷つきを完全には防止できない虞があり、被覆厚が５ｍｍより大きいと、ワックス６０の被覆作業に手間がかかることが考えられる。尚、より確実に滑り面４１を保護し、簡易に滑り面４１を保護するために、ワックス６０の被覆厚は２〜３ｍｍ程度とすることが更に望ましい。
【００３４】
このように、第１実施形態では、滑り面４１をワックス６０で被覆したので、良好な滑り性能を保持しつつ、防塵カバーを用いずに、滑り板４０の滑り面４１を保護することができる。
【００３５】
また、支承部３０によりワックス６０が掻き取られた場所を再度ワックス６０で被覆することで、容易に保護層の復旧が可能であるので、簡易に滑り板４０の滑り面４１を保護することができる。
【００３６】
尚、第１実施例の施工手順においては、建物の施工中にワックス６０上への作業員の踏込み、工事の粉塵などの付着を防止するために、ワックス６０の表面を養生材で保護してもよいし、傷つき防止に配慮できる工事現場であれば、産業廃棄物を低減させるために、養生材で保護しなくてもよい。
【００３７】
ワックス６０の表面を養生材で保護しなくても、ワックス６０上へ作業員が踏込んだり、粉塵が付着した場合に、支承部３０の滑り材３３と滑り面４１との間には埃が入り込まないので、良好な滑り性能は保持される。
【００３８】
［第２実施形態］
次に、図３を用いて本発明の第２実施形態に係る滑り支承１１について説明する。なお、第１実施形態と同様の構成については、同じ符号を付し、説明を省略する。
【００３９】
図３に示されるように、第２実施形態の滑り支承１１は、第１実施形態の滑り支承１０と異なり、ワックス６１は、支承部３０の当接面を除いた滑り面４１に加え、支承部３０の滑り材３３の外周部３３ａから、滑り材３３と滑り面４１との境界部３３ｂにわたって被覆されている。
【００４０】
（作用）
このように、第２実施形態では、支承部３０の滑り材３３の外周部３３ａから、滑り材３３と滑り面４１との境界部３３ｂもワックス６０で被覆されているので、支承部３０の滑り材３３と滑り面４１との間に隙間が出来ない。従って、滑り材３３と滑り面４１の境界部３３ｂから、滑り材３３と滑り面４１の当接面への異物の侵入を抑制することができるので、滑り材３３の滑り時に埃が巻き込まれるか、あるいは引き摺られて滑り面４１の表面に引っ掻き傷を作ることが回避される。また、支承部３０の滑り材３３と滑り面４１との境界部３３ｂのワックス６１は容易に破断するので、支承部３０の滑りの妨げになることはない。
【００４１】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４２】
例えば、上記の実施形態では支承部３０を、ゴム３２ａと鋼板３２ｂとを順に積層した積層ゴムで形成された振動吸収体３２で構成されたものとして説明したが、構造体２０の荷重を支える架台であっても、滑り機能を達成できる。
【００４３】
また、上記の実施形態では支承部３０と構造体２０、滑り板４０と基礎部５０がそれぞれ接合されているが、支承部３０と基礎部５０、滑り板４０と構造体２０がそれぞれ接合されるものであってもよい。この構成によれば、滑り板４０の滑り面４１は鉛直下方向を向くので、ワックス６０の表面に埃が堆積することを防止でき、より良好な滑り性能が保持される。
【００４４】
また、上記の実施形態では滑り面４１にワックス６０を塗布したが、滑り材３３によって容易に掻き取られるもので被覆されるのであれば、ワックス６０をシート状に加工して貼り付けてもよい。
【００４５】
また、上記の実施形態では滑り面４１と滑り材３３の当接面を除いた部分がワックス６０により被覆されているが、これに限られない。例えば滑り面４１と滑り材３３の当接面もワックス６０により被覆されていてもよい。ワックスは滑り面４１の摩擦係数を著しく変化させることはないので、良好な滑り性能が保持される。また、滑り面４１が完全にワックス６０により被覆されるので、滑り面４１をより確実に保護することができる。
【００４６】
また、上記の実施形態では滑り面４１の表面にはＰＴＦＥが焼結コーティングされているが、滑り性能が保持され、ワックス６０が容易に掻き取られるものであれば、表面の仕上げは異なるものでもよい。例えばポリアセタール（POM）、ポリアミド（PA）などの樹脂材料でコーティングしてもよく、ステンレスなどの金属の表面を平滑に仕上げてもよい。滑り板４０の表面が金属であっても、ワックス６０で表面が被覆されているため、万が一地下水などが滴下しても、水は弾かれるので滑り面４１が腐食される虞がない。
【符号の説明】
【００４７】
１０、１１  滑り支承、２０  構造体、  ３０  支承部、  ３３  滑り材、  ３３ａ  外周部、  ３３ｂ  境界部、  ４０  滑り板、  ４１  滑り面、  ５０  基礎部、  ６０  ワックス
【図１】
2016121747.tif 000003
【図２】
2016121747.tif 000004
【図３】
2016121747.tif 000005